(57)【要約】【課題】梱包時に圧縮してコンパクト化できると共に、製造に時間や手間がかからず、かつ確実な復元力によって育苗ポットの間に隙間を形成することで、容易に１個ずつ分離して取り出すことが可能な育苗ポットを提供する．【解決手段】底部１０と、底部１０の外周から上方に延びた側部２０とを有する軟質の育苗ポット１であって、底部１０に、底部１０の一部分が上方に変形して形成され、かつ、上下方向に弾性変形可能な少なくとも１つの突部１１を備え、突部１１は、底部１０の外周側から中心側に向かって、漸次その幅が縮小する形状を有することを特徴とする。【選択図】図１
2014087283.tif 000002
【特許請求の範囲】
【請求項１】
底部と、該底部の外周から上方に延びた側部とを有する軟質の育苗ポットであって、
前記底部に、該底部の一部分が上方に変形して形成され、かつ、上下方向に弾性変形可能な少なくとも１つの突部を備え、
前記突部は、前記底部の外周側から中心側に向かって、漸次その幅が縮小する形状を有することを特徴とする育苗ポット。
【請求項２】
前記突部は、前記底部から前記突部を形成する起立部分を曲面とした請求項１に記載の育苗ポット。
【請求項３】
前記突部は、前記底部の中心を通る半径方向線に対して、左右対称な形状を有する請求項１又は２に記載の育苗ポット。
【請求項４】
前記突部を複数個形成し、隣り合う前記突部の半径方向線の間の角度がそれぞれ異なるように配置した請求項３に記載の育苗ポット。
【請求項５】
前記突部の数を、３〜６個とした請求項１〜４のいずれか１項に記載の育苗ポット。
【請求項６】
前記底部を、上に凸となる曲面とした請求項１〜５のいずれか１項に記載の育苗ポット。
【発明の詳細な説明】
【技術分野】
【０００１】
本発明は、円形の底部と、底部の外周から上方に延びた側部とを有する軟質の育苗ポットに関する。
【背景技術】
【０００２】
花苗や野菜苗等の育苗に用いられる軟質の育苗ポットは、製造業者において製造されると、複数個（例えば１００個）単位に積み重ねられた状態で梱包されて育苗業者に出荷される。育苗業者においては、積み重ねられた育苗ポットを、作業者や自動装置によって１個ずつ取り出し、収納トレイに並べて土壌の収容作業を行う。土壌が収容された育苗ポットは、種蒔き及び育苗が行われ、ポット苗として販売業者に出荷される。
【０００３】
育苗業者において、育苗ポットを収納トレイに並べる際に、積み重ねられた育苗ポット同士が密着することにより、複数個の育苗ポットが纏めて取り出されることがあった。そこで、育苗ポットの底部に突起を形成することにより、積み重ねられる育苗ポットの間に隙間を形成し、１個ずつ取り出しやすくすることが特開平０８−２１４７０５号公報（特許文献１）において提案されている。
【０００４】
ところで、積み重ねられた育苗ポットを出荷する際には、保管スペースや運送コスト等の削減のために、できるだけコンパクトに梱包することが望まれる。しかしながら、特許文献１に記載のように、底部に突起が形成された育苗ポットを複数個積み重ねると、所定高さあたりの個数が少なくなってしまう。そのため、同じ個数の育苗ポットを積み重ねると嵩が高くなり、また、高さを同じにすると積み重ねられる個数が少なくなるため、保管スペースや運送コスト等の削減が図れなくなってしまうという問題がある。そこで、育苗ポットの積み重ね時には従来と同じ高さに圧縮可能で、容易に１個ずつ分離して取り出すことができる育苗ポットが、特開２００４−２１５５４１号公報（特許文献２）や特開平０８−０３７９４０号公報（特許文献３）において提案されている。
【０００５】
具体的には、特許文献２においては、育苗ポットの側部又は底部を切り込んで舌片を形成し、舌片を折り曲げることが記載されている。これにより、梱包時に圧縮変形させて高さ寸法を圧縮して積み重ねると共に、取り出し時には、舌片の弾性復元力によって育苗ポットの間に空隙を形成することができる。また、特許文献３には、育苗ポットの底部付近の側部（全周又は一部）に溝部を形成することにより、積み重ねた状態で圧縮及び復元を可能とすることが記載されている。
【先行技術文献】
【特許文献】
【０００６】
【特許文献１】特開平０８−２１４７０５号公報
【特許文献２】特開２００４−２１５５４１号公報
【特許文献３】特開平０８−０３７９４０号公報
【発明の概要】
【発明が解決しようとする課題】
【０００７】
しかしながら、特許文献２に記載された育苗ポットでは、形成した舌片を折り曲げる必要があるため、育苗ポットの製造工程が増え、加工に手間がかかる。また、特許文献３に記載された育苗ポットは、側壁に溝部が形成されるため、成形後に金型を分離しないと成形品を取り出すことができない。そのため、育苗ポットの製造に手間と時間がかかる。このように、育苗ポットの製造に手間や時間がかかることにより、育苗ポットの生産効率が低下すると共に、安価に提供することが困難となる。さらに、舌片や溝部は、一箇所で折り曲げられるため、育苗ポットを積み重ねて圧縮した梱包状態で長期間保管した場合や、積み重ねられた状態での下方の育苗ポットのように大きい荷重がかかった場合等では、折り曲げ部分に折り癖がついてしまうおそれがある。このような場合には、充分な復元力が得られなくなるため、育苗ポットの間の隙間を充分形成できなくなり、育苗ポットを１個ずつ分離して取り出すことが困難になってしまうおそれがある。
【０００８】
そこで、本発明は、上記の事情に鑑みて、梱包時に圧縮してコンパクト化できると共に、製造に時間や手間がかからず、かつ確実な復元力によって育苗ポットの間に隙間を形成することで、容易に１個ずつ分離して取り出すことが可能な育苗ポットの提供を技術的課題とする。
【課題を解決するための手段】
【０００９】
上記課題を解決するための本発明の育苗ポットは、底部と、底部の外周から上方に延びた側部とを有する軟質の育苗ポットであって、底部に、底部の一部分が上方に変形して形成され、かつ、上下方向に弾性変形可能な少なくとも１つの突部を備え、この突部は、底部の外周側から中心側に向かって、漸次その幅が縮小する形状を有することを特徴とするものである。
【００１０】
このような構成によれば、複数の育苗ポットを、突部の位置をずらして積み重ねることにより、育苗ポットの突部と、上側の育苗ポットの底部との間に隙間を形成することができる。また、積み重ねられた育苗ポットを積み重ね方向に押圧することで、上側の育苗ポットの底部によって突部が押圧されて弾性的に変形するため、容易に圧縮することができ、コンパクトに梱包することができる。一方、梱包が解かれて押圧が解除されると、突部は、弾性復元力によって、元の形状に復元される。そのため、育苗ポットの間に隙間を形成することができる。
【００１１】
このとき、育苗ポットの底部に形成される突部は、外周側から中心側に向かって漸次その幅が縮小する形状であるため、突部の変形領域は、押圧力に応じて移動する。また、押圧が解除されると、突部は、中心側の、幅の小さい領域からの強い弾性復元力によって順次復元され、確実に復元することができる。これにより、積み重ねられた複数個の育苗ポットを圧縮して梱包した状態で長期間保管しても、突部には折り癖がつきにくく、確実に復元されることで、育苗ポットを確実に１個ずつ分離して取り出すことが可能となる。なお、育苗ポットには、切り込みによる舌片や溝部を設けることなく、突部の形成のみでよいため、製造に時間や手間がかかることもない。
【００１２】
ところで、育苗ポットを積み重ねた際には、上側の育苗ポットの底部によって突部の上端が変形すると同時に、上側の育苗ポットの底部も、突部によって押圧されることにより変形する。このとき、突部の起立部分に角部を有すると、圧縮時の押圧力によって角部が折れ曲がり、押圧が解除されても、突部の起立部分が確実に復元されなくおそれがある。そのため、この突部は、底部から突部を形成する起立部分を曲面とすることが好ましい。これにより、押圧によって起立部分を弾性的に変形することができ、起立部分の折れ曲がりによる復元力の低下を防止することができる。
【００１３】
また、突部は、底部の中心を通る半径方向線に対して、左右対称な形状を有することが好ましい。これにより、突部が押圧されることにより、半径方向線に対して左右均一に弾性変形することができるため、突部を容易に弾性変形させることができ、また、押圧が解除された際には、確実に復元することができる。
【００１４】
この際には、突部を複数個形成し、隣り合う突部の半径方向線の間の角度がそれぞれ異なるように配置してもよい。このように複数個の突部を配置すると、上下の育苗ポットの間に、容易に均一な隙間を形成することができる。ここで、上下の育苗ポットにおける突部の配置がすべて同じであれば、下側の育苗ポットの突部と上側の育苗ポットの窪みとが嵌まり込み、上下の育苗ポットが密着してしまう。そのため、複数個の突部を、隣り合う半径方向線の間の角度がそれぞれ異なるように配置することにより、角度をずらして育苗ポットを積み重ねることで、上下の育苗ポットの間における突部の嵌まり込みによる密着を抑制することができる。
【００１５】
さらに、突部の数は、３〜６個とすることが好ましい。突部を３個とすることにより、上側の育苗ポットとの間に確実に均一な隙間を形成することができる。また、突部の数が多くなると、弾性力が強くなるため、圧縮するために強い押圧力が必要となる。そのため、突部の数を３〜６個とすることにより、適度な押圧力で積み重ねられた育苗ポットを圧縮可能とすることができ、また、確実に上下の育苗ポット間に隙間を形成することが可能となる。
【００１６】
加えて、育苗ポットの底部を、上に凸となる曲面としてもよい。これにより、積み重ねた際に上側の育苗ポットによって押圧されても、底部の強度を増加させることができる。
【００１７】
以上のように、本発明によれば、梱包時に圧縮してコンパクト化できると共に、製造に時間や手間がかからず、かつ確実な復元力によって育苗ポットの間に隙間を形成することができ、容易に１個ずつ分離して取り出すことが可能な育苗ポットを提供することが可能となる。
【図面の簡単な説明】
【００１８】
【図１】本発明の一実施形態にかかる育苗ポットの斜視図である。（ａ）は上方向から見た斜視図であり、（ｂ）は下方向から見た斜視図である。
【図２】図１の育苗ポットの平面図である。
【図３】図１の育苗ポットの矢印Ａ−Ａ断面を矢印方向に見た断面図である。
【図４】図１の育苗ポットを矢印Ｂ−Ｂ方向に見た図である。
【図５】図１の育苗ポットを重ねた際の平面図である。
【図６】図１の育苗ポットを重ねた際の突部周囲の拡大断面図である。（ａ）は上下の育苗ポットが接触した状態であり、（ｂ）は下側の育苗ポットの突部が変形した状態である。
【発明を実施するための形態】
【００１９】
以下、本発明にかかる育苗ポットの一実施形態を図面に基づいて説明する。
【００２０】
本発明の育苗ポット１は、図１（ａ）及び（ｂ）に示すように、底部１０と、底部１０の外周から上方に延びた側部２０とを有し、内部に土壌を収容可能な薄肉の鉢状形状をなす。本実施形態においては、底部１０は円形をしており、育苗ポット１の側部２０の上縁２１は、平面視で略正方形に形成される。また、育苗ポット１は、ポリプロピレン（ＰＰ）を主成分として、ポリエチレン（ＰＥ）を所定量混入した軟質の樹脂材料からなる。
【００２１】
図２に示すように、底部１０には、底部１０の一部が上方に変形して形成された突部１１、及び育苗ポット１内の水を外部に排出する排水孔１２が形成される。突部１１の形状は、底部１０の外周側から中心側に向かって漸次その幅が縮小する形状をしている。また、突部１１は、底部１０の中心を通る半径方向線に対して、左右対称な形状としている。さらに、突部１１の高さは、図３に示すように、底部１０に対して、外側が一番高く、中心側に向かうに従って低くなっている。なお、図４に示すように、突部１１の最大高さＨは、高さ７．５ｃｍの育苗ポット１に対して、２ｍｍ〜６ｍｍ程度が好ましい。本実施形態においては、突部１１の最大高さＨを４ｍｍとしている。また、突部１１は、底部１０から突部１１が形成される起立部分１３を曲面としている（図４参照）。
【００２２】
本実施形態においては、突部１１は４個形成され、隣り合う突部１１の半径方向線の間の角度（図２においてθ１〜θ４で示す）がそれぞれ異なるように配置される。具体的には、図２に示すように、時計回りに突部１１を１１ａ〜１１ｄとした場合に、隣り合う突部１１の半径方向線の間の角度θ１〜θ４について、突部１１ａと突部１１ｂとの間の角度θ１が１００度となるように形成され、同様に、θ２が７０度、θ３が８０度、そしてθ４が１１０度となるようにそれぞれ形成される。
【００２３】
また、本実施形態においては、育苗ポット１の底部１０は、上に凸となる曲面としており、中心付近には、円形の排水孔１２が形成される。なお、図４に示すように、底部１０の曲面の最大高さＳは、突部１１の最大高さＨの半分程度が好ましい。本実施形態においては、曲面の最大高さＳを、２ｍｍとしている。
【００２４】
一方、育苗ポット１の側部２０は、図１（ａ）及び（ｂ）に示すように、底部１０付近では円形であり、上縁２１付近では平面視で略正方形となっている。つまり、底部１０の立ち上がりから徐々に正方形になっている。また、側部２０には、育苗ポット１の内部に土壌を収容した状態での強度を確保するために、リブ部２２が所定間隔を空けて形成される。
【００２５】
続いて、製造された本発明にかかる育苗ポット１を、出荷のために積み重ねて梱包する際、及び梱包を解いた際における、育苗ポットの突部１１の状態及び育苗ポット１の間の隙間について説明する。以下、育苗ポット１に対して、積み重ねられる上側の育苗ポットを１’と示し、下側の育苗ポットを１’’と示す。
【００２６】
育苗ポット１を梱包する際には、底部１０に形成した突部１１が異なる位置に配置されるように積み重ねられる。その際の突部１１の状態を図５に示す。具体的には、製造された育苗ポット１は、９０度ずつ向きが異なるように積み重ねられる。この状態では、上下の育苗ポット１，１’の間で、各突部１１（１１ａ〜１１ｄ），１１’（１１ａ’〜１１ｄ’）が同じ位置に配置されない。そのため、育苗ポット１，１’の間に均一な隙間が形成される。
【００２７】
また、本実施形態においては、上述のように、育苗ポット１の底部１０に突部１１を４個形成し、隣り合う突部１１の半径方向線の間の角度θ１〜θ４を、１００度、７０度、８０度、１１０度と設定したため、９０度向きを変えて積み重ねても、４個の突部はすべて重ならない位置に配置される（図５参照）。さらに、１８０度、２７０度向きを変えて積み重ねたとしても、これらの４個の育苗ポット１に形成される各突部１１は、すべて異なる位置に配置される。そのため、たとえ、製造時に低品質の育苗ポット１が発生して、積み重ねられたうちの１個を取り除いても、その上にさらに積み重ねられる育苗ポット１との間の突部１１は、異なる位置に配置された状態であるため、上下の育苗ポット１の間に隙間を確保することができる。
【００２８】
また、図６には、育苗ポット１が積み重ねられた際に変形する突部１１の様子を示す。上下の育苗ポット１，１’が接した状態では、図６（ａ）に示すように、上側の育苗ポット１’の底部１０’によって、下側の育苗ポット１の突部１１の上端が押圧される。突部１１は、底部１０の外側から中心側に向かって漸次その幅が縮小する形状あるため、上述のように、突部１１の高さは、底部１０の外側が高く、中心側では低くなっている。そのため、突部１１が最初に変形する領域は、突部１１の一番高い部分である。この部分は底部１０の外側であり、突部１１の幅広部分でもあるため（図２参照）、押圧によって容易に変形を開始する。
【００２９】
育苗ポット１が積み重ねられて、突部１１がさらに押圧されると、図６（ｂ）に示すように、上側の育苗ポット１’の底部１０’で押圧されることによる突部１１の変形領域は、底部１０の中心側に向かって広がる。このように、押圧力に応じて突部１１の変形領域が移動するため、突部１１の特定の部分のみが変形したり、折れ曲がったりすることがない。
【００３０】
このようにして、多数の育苗ポット１を積み重ねて押圧することにより、圧縮された状態で梱包することができる。その際には、圧縮時の押圧力によって、突部１１を変形させて、育苗ポット１の間の隙間を小さくすることができるため、従来と同じ程度の個数の育苗ポット１を梱包することが可能となる。
【００３１】
一方、育苗ポット１を取り出す際には、梱包を解くことによって、上側の育苗ポット１’による押圧が解除される。それにより、突部１１の弾性復元力によって、上下の育苗ポット１，１’の間に隙間が形成される。詳しくは、図６（ｂ）に示すように、突部１１の変形領域よりも底部１０の中心側においては、突部１１の幅が小さく、かつ高さが低いため、より強い弾性復元力を有している。そのため、押圧が解除されると、突部１１は、中心側の領域から外側に向けて、確実に順次弾性復元していく。
【００３２】
このように、梱包が解かれた状態においては、確実に突部１１の形状を復元することができ、この復元力によって、上側の育苗ポット１’の底部１０’を押圧することにより、育苗ポット１，１’の間に隙間を形成することができる。なお、突部１１は、底部１０の中心側に向かって、漸次幅が縮小するため、突部１１における底部１０の中心側には壁部を有しない。そのため、上側の育苗ポット１’の底部１０’によって押圧されても、突部１１に折れ曲がりを生じることがなく、確実に突部１１を弾性復元することができる。
【００３３】
ここで、複数個の育苗ポット１を積み重ねた状態で、圧縮するために押圧すると、上側の育苗ポット１’の底部１０’によって突部１１が押圧されるが、この際には、突部１１は、上側の育苗ポット１’の底部１０’を押圧する。つまり、育苗ポット１の底部１０は、同様に、下側の育苗ポット１’’の突部１１’’によっても押圧される。このとき、育苗ポット１の突部１１において、底部１０からの起立部分に角部を有すると、下側の育苗ポット１’’の突部１１’’で押圧されることで、折れ曲がりが発生して、確実に復元されないおそれがある。そこで、本実施形態においては、図４に示すように、底部１０に形成される突部１１の起立部分１３を曲面とした。これにより、下方からの押圧力によっても、突部１１の起立部分１３は折れ曲がりを発生することなく、弾性的に変形される。そのため、押圧が解除された際には、確実に復元することができる。
【００３４】
以上述べてきたように、本実施形態にかかる育苗ポット１によると、積み重ねて圧縮することで突部１１が変形することにより、コンパクト化して梱包することができる。また、育苗ポット１の底部１０に突部１１を形成するのみであるため、加工の手間もなく、容易に製造することができる。さらに、突部１１の形状が、底部１０の外側から中心側に向かって、漸次その幅が縮小する形状であるため、圧縮時に押圧されて変形した突部１１は、中心側より確実に復元することができる。そのため、育苗ポット１の間に隙間を形成でき、容易に１個ずつ分離して取り出すことが可能である。
【００３５】
本実施形態においては、突部１１の形状を、底部１０の外側から中心側に向かって、漸次その幅が縮小する形状としたが、その幅は、一部同じ大きさの幅を含んでいてもよい。また、突部１１の高さも、一部同じ高さの領域を含んでいてもよい。このように構成することで、突部１１にかかる押圧力に応じて、変形領域が移動し、押圧力が解除されると、より中心に近い（突部１１の径が小さく、かつ高さが低い）領域からの強い復元力によって順次突部１１を復元することができる。そのため、育苗ポット１を積み重ねた状態で長期間保管しても、突部１１には折り癖がつきにくく、確実に復元される。
【００３６】
また、育苗ポット１を多数積み重ねた状態では、下方の育苗ポット１の突部１１には、上方の育苗ポット１の個数に応じた押圧力がかかる。突部１１は、受ける押圧力に応じて、変形度合いが異なるため、多数積み重ねられた状態では、上方の育苗ポット１の間では大きな隙間が形成され、下方の育苗ポット１の間では小さい隙間が形成される。このような状態で、上方の育苗ポット１から順に取り出されるに従って、下方の育苗ポット１にかかる押圧力が低下していくため、隙間は順次大きくなる。このように、育苗ポット１の間の隙間は、位置や重ねられた個数によって異なるため、育苗ポット１を多数積み重ねた状態であっても、全体として適度な高さを保つことができる。
【００３７】
さらに、本実施形態においては、複数個の育苗ポット１積み重ねる際に、９０度ずつ向きを変えて積み重ねたが、その際には、例えば、縦横方向に同数に並ぶように複数個の育苗ポット１を成形可能な金型を形成して、成形加工後に、９０度ずつ向きを変えて、育苗ポット１を積み重ねるようにしてもよい。また、一列ごとに異なる向きの育苗ポット１が成形できるように金型を準備し、成形加工後に一列ずつ積み重ねることで、異なる向きで積み重ねるようにしてもよい。なお、向きを変える際には、９０度ずつでなく、１８０度ずつ向きを変えてもよい。このように、複数個の育苗ポット１を積み重ねる際に、突部１１の配置をずらして積み重ねることにより、育苗ポット１の間に確実に隙間を形成することができる。その他、隣り合う突部１１との挟角が予めランダムになるような育苗ポット１の金型を準備してもよい。この際には、積み重ねた際に、上下いくつかの育苗ポット１において、突部１１が同じ位置にならないように配置するように形成することが好ましい。
【００３８】
また、本実施形態において、育苗ポット１の底部１０には、４個の突部１１を形成したが、これに限ることはなく、少なくとも１個の突部１１を形成すればよい。積み重ねられた育苗ポット１の間に隙間を形成することができれば、一度に複数個の育苗ポットが取り出される不具合を防止でき、１個ずつ取り出すことができる。なお、上下の育苗ポット１，１’の底部１０，１０’の間に均一な隙間を形成できるため、底部１０に形成される突部１１の数は、３個以上とすることが好ましい。また、突部１１の数が多くなると、弾性力が強くなり、突部を弾性変形させるためには、強い押圧力が必要となる。そのため、底部１０に形成される突部１１の数は、６個以下とすることが好ましい。
【００３９】
上記実施形態においては、育苗ポット１の底部１０に突部１１を４個形成し、隣り合う突部１１の半径方向線の間の角度を、１００度、７０度、８０度、１１０度としたが、これらの角度はこれに限るものではない。隣り合う突部１１の角度が、それぞれ異なるように配置することが好ましく、例えば、突部１１が２個の場合には、１８０度以外の角度とすることが好ましい。また、３個以上の場合には、それぞれ異なる角度となるように適宜設定できる。もちろん同じ角度を含むように設定してもよい。
【００４０】
また、上記実施形態においては、底部１０を、上に凸となる曲面としたが、これに限ることはなく、平面であってもよい。
【００４１】
なお、積み重ねられた育苗ポット１から１個ずつ取り出す際には、作業者が手作業で取り出してもよく、専用の自動装置等で機械的に取り出してもよい。特に、自動装置を用いて育苗ポット１を取り出す際には、複数個の育苗ポット１が取り出されると、装置を停止して取り除いたり、複数個取り出されて落下した育苗ポットを回収したりする必要があるため、生産性が低下する。そのため、本発明の育苗ポットを用いると、複数個取り出されることがなく、装置を停止する必要がなくなるため、効率的に作業を行うことができる。
【００４２】
以上、本発明の実施形態について説明したが、本発明は上述の実施形態に限定されるものではなく、本発明の要旨を逸脱しない範囲で種々の変更を加え得ることは勿論である。
【００４３】
育苗ポットは、上述の形状に限ることはなく、底部が角形であってもよく、また、側部の上縁が円形の丸形タイプであってもよい。丸形タイプの育苗ポットであれば、複数個の育苗ポットを積み重ねる際には、所望の角度で向きを変えることができ、上下の突部の位置をずらすことが容易となる。
【００４４】
また、育苗ポットは、個別に製造して積み重ねられる単一成形タイプに限ることはなく、複数個の育苗ポットの上縁の一部が連結された状態で製造される連結タイプであってもよい。連結タイプの育苗ポットは、例えば、製造時に縦方向と横方向の列数を同じにすることで、９０度向きを変えて積み重ねることができる。なお、縦方向と横方向の列数を異ならせて、反転させて１８０度向きを変えて積み重ねるようにしてもよい。
【符号の説明】
【００４５】
１          育苗ポット
１０        底部
１１        突部
２０        側部
【図１】
2014087283.tif 000003
【図２】
2014087283.tif 000004
【図３】
2014087283.tif 000005
【図４】
2014087283.tif 000006
【図５】
2014087283.tif 000007
【図６】
2014087283.tif 000008
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
底部と、該底部の外周から上方に延びた側部とを有する軟質の育苗ポットであって、
前記底部に、該底部の一部分が上方に変形して形成され、かつ、上下方向に弾性変形可能な少なくとも１つの突部を備え、
前記突部は、前記底部の外周側から中心側に向かって、漸次その幅が縮小し、かつ前記底部に対する高さが漸次低くなる形状を有し、上方からの押圧によって下方に弾性変形すると共に、前記押圧の解除によって上方に弾性復元することを特徴とする育苗ポット。
【請求項２】
前記突部は、前記底部から前記突部を形成する起立部分を曲面とした請求項１に記載の育苗ポット。
【請求項３】
前記突部は、前記底部の中心を通る半径方向線に対して、左右対称な形状を有する請求項１又は２に記載の育苗ポット。
【請求項４】
前記突部を複数個形成し、隣り合う前記突部の半径方向線の間の角度がそれぞれ異なるように配置した請求項３に記載の育苗ポット。
【請求項５】
前記突部の数を、３〜６個とした請求項１〜４のいずれか１項に記載の育苗ポット。
【請求項６】
前記底部を、上に凸となる曲面とした請求項１〜５のいずれか１項に記載の育苗ポット。
【手続補正２】
【補正対象書類名】明細書
【補正対象項目名】０００９
【補正方法】変更
【補正の内容】
【０００９】
上記課題を解決するための本発明の育苗ポットは、底部と、底部の外周から上方に延びた側部とを有する軟質の育苗ポットであって、底部に、底部の一部分が上方に変形して形成され、かつ、上下方向に弾性変形可能な少なくとも１つの突部を備え、この突部は、底部の外周側から中心側に向かって、漸次その幅が縮小し、かつ底部に対する高さが漸次低くなる形状を有し、上方からの押圧によって下方に弾性変形すると共に、押圧の解除によって上方に弾性復元することを特徴とするものである。